Podtech/llm-jp-corpus-v4-ja_patent huggingface dataset:
【手続補正書】
【提出日】平成18年8月3日(2006.8.3)
【手続補正１】
【補正対象書類名】特許請求の範囲
【補正対象項目名】請求項６
【補正方法】変更
【補正の内容】
【請求項６】
サイトカイン、インターフェロンまたはさらなる細胞増殖抑制剤をさらに含有してなる請求項１〜４いずれか記載の医薬調製物。
【手続補正２】
【補正対象書類名】特許請求の範囲
【補正対象項目名】請求項９
【補正方法】変更
【補正の内容】
【請求項９】
癌性疾患の治療用医薬の製造における請求項１〜８いずれか記載の医薬調製物の使用。
【手続補正３】
【補正対象書類名】特許請求の範囲
【補正対象項目名】請求項１１
【補正方法】変更
【補正の内容】
【請求項１１】
自己免疫疾患の治療用医薬の製造における請求項１〜８いずれか記載の医薬調製物の使用。
【誤訳訂正書】
【提出日】平成18年9月21日(2006.9.21)
【誤訳訂正１】
【訂正対象書類名】明細書
【訂正対象項目名】００１９
【訂正方法】変更
【訂正の内容】
【００１９】
水素または水素ドナーでの還元的アミノ化に適した触媒は、たとえば、ニッケル、たとえばラネーニッケル、および貴金属またはそれらの誘導体、たとえば酸化物、たとえばパラジウム、白金または酸化白金（所望により、これを支持体、たとえば炭素または炭酸カルシウムに適用してもよく、たとえば炭素担持プラチナ）である。水素または水素ドナーでの水素化は、好ましくは、１〜約１００気圧の圧力で、そして、約−８０℃〜約２００℃の温度、特に室温から約１００℃の温度で行われ得る。
【誤訳訂正２】
【訂正対象書類名】明細書
【訂正対象項目名】００４６
【訂正方法】変更
【訂正の内容】
【００４６】
たとえば、有機金属試薬からテトラゾール環を保護するためのトリフェニルメチル基が使用される。トリフェニルメチル基は、後で、酸性条件下ではずされる。トリフェニルメチル基の不利な点は、その分子量が大きいことと考えられている。２−フェニル−２−プロピル テトラゾール保護基が、任意のさらなる変換の前のメタレーション（metallation）を可能にするために使用される。この保護基の除去は、腐食性および毒性の試薬、たとえば三フッ化ホウ素エーテラート、または脱保護の工程を触媒する遷移金属を必要とし、これらは不利な点とみなされる。
【誤訳訂正３】
【訂正対象書類名】明細書
【訂正対象項目名】００６８
【訂正方法】変更
【訂正の内容】
【００６８】
Ｒ２が保護基を表し、そしてＲ１が水素または保護基である場合、たとえば、２当量の式（ＩＩｄ）の化合物、たとえば対応するそのハライド、および塩基、たとえばエチル−ジイソプロピル−アミンまたはトリ−ｎ−プロピルアミンの両方を、適当な溶媒、たとえばトルエンに溶かした対応する式（ＩＩｃ）の化合物に添加する。驚くべきことに、ラセミ化は観察されない。
【誤訳訂正４】
【訂正対象書類名】明細書
【訂正対象項目名】００７４
【訂正方法】変更
【訂正の内容】
【００７４】
たとえば、ベンジルエステルは、とりわけ、適当な水素化触媒の存在下での水素化により、対応する酸に変換され得る。適当な触媒には、たとえば、ニッケル、たとえばラネーニッケル、および貴金属またはそれらの誘導体、たとえば酸化物、たとえばパラジウムまたは酸化白金（所望により、これを支持体、たとえば炭素または炭酸カルシウムに適用してもよい。）が含まれる。水素化は、好ましくは、１〜約１００ａｔｍの圧力で、そして約−８０℃〜約２００℃の温度にて、特に室温から約１００℃にて行われ得る。
【誤訳訂正５】
【訂正対象書類名】明細書
【訂正対象項目名】０１０６
【訂正方法】変更
【訂正の内容】
【０１０６】
ｂ）（Ｓ）−３−メチル−｛２−ペンタノイル−［２'−（１Ｈ−テトラゾール−５−イル）−ビフェニル−４−イル−メチル］−アミノ｝−酪酸 ベンジルエステルの製造
先の工程からのトルエン（約８０ｇ、４８〜５０ｍｍｏｌ）中の（Ｓ）−３−メチル−２−｛［２'−（１Ｈ−テトラゾール−５−イル）−ビフェニル−４−イル−メチル］−アミノ｝−酪酸 ベンジルエステルの溶液を、トルエン（８５ｍｌ）で希釈する。無水条件下で、Ｎ−エチル−ジイソプロピルアミン（２４.０ｍｌ、１４０ｍｏｌ）および塩化バレロイル（１７.３ｍｌ、１４０ｍｍｏｌ）を内部温度２０℃にてゆっくり添加する。反応混合物を約３０分間撹拌し、そして変換の終了後、２０℃でのメタノール（３１ｍｌ）の添加によりクエンチする。透明溶液を２０℃にて約３０分間撹拌し、水（７８ｍｌ）を添加し、そして得られる二相系を、２.０Ｍ塩酸（約１０ｍｌ、２０ｍｍｏｌ）の添加によりｐＨ ２に調節する。有機相を分離し、水（７８ｍｌ）で抽出し、そして蒸発により元の容積の約５０％まで真空中５０℃にて濃縮する（水およびメタノールを共沸除去する）。トルエン（約９４ｇ）中の得られる濃縮物に、結晶化を開始させるために４０℃にて種晶を入れ、そしてこの温度にて約１時間撹拌する。この懸濁液を、６〜１０時間以内に０℃まで徐々に冷却する。固体を濾過により分離し、冷トルエン（６０ｍｌ）で洗浄し、そして真空中５０℃にて乾燥すると、（Ｓ）−３−メチル−｛２−ペンタノイル−［２'−（１Ｈ−テトラゾール−５−イル）−ビフェニル−４−イル−メチル］−アミノ｝−酪酸 ベンジルエステルを得る。
融点：１１５−１１６℃.
鏡像体過剰率（ＨＰＬＣによる）：ｅｅ＞９９.８％.
【手続補正書】
【提出日】平成18年9月6日(2006.9.6)
【手続補正１】
【補正対象書類名】明細書
【補正対象項目名】０００９
【補正方法】変更
【補正の内容】
【０００９】
サブスタンスＰは、タキキニンファミリーの天然由来ウンデカペプチドである。それは哺乳動物において産生され、そしてニューロペプチドとして薬理学的に作用する。サブスタンスＰは、さまざまな障害、たとえば疼痛状態の場合において、片頭痛において、および中枢神経系の一定の障害、たとえば不安状態、嘔吐、統合失調症およびうつ病において、ならびに一定の運動障害、たとえばパーキンソン病において、また、炎症疾患、たとえばリウマチ様関節炎、虹彩炎および結膜炎において、呼吸器官の疾患、たとえば喘息および慢性気管支炎において、胃腸系の疾患、たとえば潰瘍性大腸炎およびクローン病において、ならびに高血圧において重要な役割を果たす。
【手続補正２】
【補正対象書類名】明細書
【補正対象項目名】００１６
【補正方法】変更
【補正の内容】
【００１６】
したがって、本発明にしたがって製造された式ＩおよびＩＡのサブスタンス−Ｐ−アンタゴニストならびに医薬上許容されるそれらの塩は、上記に列挙した病理学的徴候の治療的処置に極めて適当である。
【手続補正書】
【提出日】平成18年7月19日(2006.7.19)
【手続補正１】
【補正対象書類名】特許請求の範囲
【補正対象項目名】全文
【補正方法】変更
【補正の内容】
【特許請求の範囲】
【請求項１】
ヒトのような温血動物に抗血管新生及び／又は血管透過性減少効果をもたらすための医薬組成物であって、４−（４−ブロモ−２−フルオロアニリノ）−６−メトキシ−７−（１−メチルピペリジン−４−イルメトキシ）キナゾリン（ＺＤ６４７４としても知られる）：
【化１】
2006502132.tif 000001
又はその製薬学的に許容しうる塩を含んでなる、有効量の電離放射線の前、後又は同時に投与するための医薬組成物。
【請求項２】
ヒトのような温血動物における癌を治療するための医薬組成物であって、ＺＤ６４７４又はその製薬学的に許容しうる塩を含んでなり、有効量の電離放射線の前、後又は同時に投与するための医薬組成物。
【請求項３】
ヒトのような温血動物における固形腫瘍を含む癌を治療するための医薬組成物であって、ＺＤ６４７４又はその製薬学的に許容しうる塩を含んでなり、有効量の電離放射線の前、後又は同時に投与するための医薬組成物。
【請求項４】
電離放射線で治療されるヒトのような温血動物に抗血管新生及び／又は血管透過性減少効果をもたらすのに使用するための医薬品の製造における、ＺＤ６４７４又はその製薬学的に許容しうる塩の使用。
【請求項５】
電離放射線で治療されるヒトのような温血動物に抗癌効果をもたらすのに使用するための医薬品の製造における、ＺＤ６４７４又はその製薬学的に許容しうる塩の使用。
【請求項６】
電離放射線で治療されるヒトのような温血動物に抗腫瘍効果をもたらすのに使用するための医薬品の製造における、ＺＤ６４７４又はその製薬学的に許容しうる塩の使用。
【手続補正書】
【提出日】平成18年4月20日(2006.4.20)
【手続補正１】
【補正対象書類名】明細書
【補正対象項目名】０００７
【補正方法】変更
【補正の内容】
【０００７】
抗高グリセリド血症薬物とチアゾリジンジオン誘導体との組合せを含有する医薬剤形は、当業界で提案されている。例えば、ＥＰＯ  ０  ７４９  ７５１（参照により本明細書に組み込まれている）は、他の抗糖尿病剤と組み合わせて、チアゾリジンジオン化合物であり得るインスリン感受性エンハンサーを含む製薬組成物を教示している。より具体的に、ＥＰＯ  ０  ７４９  ７５１は、好ましいインスリン感受性エンハンサーが、メトホルミン、フェンホルミンおよびブホルミンなどの他の抗糖尿病剤と併用できるピオグリタゾンであること、さらにこれらの薬物が、味覚マスキングまたは持続放出をもたらすために従来の賦形剤と結合（混合および／またはコート）できることを教示している。抗高グリセリド血症薬物およびチアゾリジンジオン誘導体の組合せの他の例は、米国特許第６，０１１，０４９号（参照により本明細書に組み込まれている）である。該特許は、浸透圧用ポンプまたは皮膚用パッチなどの徐放性放出形態でピオグリタゾンまたはトロリタゾンおよびメトホルミンを含有する単一製薬組成物を教示している。抗高グリセリド血症薬物とチアゾリジンジオン誘導体との他の組合せは、米国特許第６，５２４，６２１号、米国特許第６，４７５，５２１号、米国特許第６，４５１，３４２号および米国特許第６，１５３，６３２号およびＰＣＴ特許出願ＷＯ  ０１／３５９４０およびＷＯ  ０１／３５９４１に見ることができる。
【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
ビタミンＤ、非イオン性可溶化剤、親油性の酸化防止剤及び水性溶媒を含む組成物。
【請求項２】
非イオン性可溶化剤がポリオキシアルキレン、ポリソルベート、グリセロールの脂肪酸エステル、シクロデキストリン、デキストラン、オリゴグルコシドの脂肪アルコールエーテル又はポリオキシエチレン系化合物を含む、請求項１記載の組成物。
【請求項３】
親油性の酸化防止剤がブチル化ヒドロキシトルエン（ＢＨＴ）、リポ酸、リコピン、ルテイン、リコフィル、キサントフィル、カロチン、ゼアキサンチン若しくはビタミンＥ又はこれらのエステルを含む、請求項１記載の組成物。
【請求項４】
親油性の酸化防止剤の濃度が20〜2000ppmである、請求項１記載の組成物。
【請求項５】
非イオン性可溶化剤の濃度が0.05〜５％w/wである、請求項１記載の組成物。
【請求項６】
非経口投与に適する請求項１記載の組成物。
【請求項７】
さらに有機溶媒、防腐剤又はその両方である追加の薬剤を含む請求項１記載の組成物。
【請求項８】
追加の薬剤がベンジルアルコール又はエタノールを含む、請求項７記載の組成物。
【請求項９】
追加の薬剤がエタノールを含む、請求項８記載の組成物。
【請求項１０】
追加の薬剤がベンジルアルコールを含む、請求項８記載の組成物。
【請求項１１】
追加の薬剤の濃度が０〜30％w/wである、請求項８記載の組成物。
【請求項１２】
追加の薬剤の濃度が０〜約10％w/wである、請求項１１記載の組成物。
【請求項１３】
追加の薬剤の濃度が約１〜約３％w/wである、請求項１１記載の組成物。
【請求項１４】
親油性の薬剤、0.05〜５％w/wの非イオン性可溶化剤及び20〜2000ppmの親油性の酸化防止剤を含む非経口組成物。
【請求項１５】
さらに追加の薬剤を含む請求項１４記載の組成物。
【請求項１６】
非イオン性可溶化剤が0.5〜2.5％w/wのポリソルベート-20を含み、親油性の酸化防止剤が20ppmのＢＨＴを含み、追加の薬剤が2.5％w/wのエタノールを含む、請求項１５記載の組成物。
【請求項１７】
非イオン性可溶化剤が0.5〜2.5％w/wのポリソルベート-20を含み、親油性の酸化防止剤が20ppmのＢＨＴを含み、追加の薬剤が2.5％w/wのベンジルアルコールを含む、請求項１５記載の組成物。
【請求項１８】
ビタミンＤがドキセルカルシフェロール、セオカルシトール、カルシトリオール、カルシポトリオール、マキサカルシトール、ファレカルシトリオール又はパリカルシトールを含む、請求項１記載の組成物。
【請求項１９】
ビタミンＤ化合物がドキセルカルシフェロールを含む、請求項１８記載の組成物。
【請求項２０】
ビタミンＤ化合物がセオカルシトールを含む、請求項１８記載の組成物。
【請求項２１】
ビタミンＤ化合物がカルシトリオールを含む、請求項１８記載の組成物。
【請求項２２】
ビタミンＤ化合物がパリカルシトールを含む、請求項１８記載の組成物。
【請求項２３】
ビタミンＤ化合物がカルシポトリオールを含む、請求項１８記載の組成物。
【請求項２４】
ビタミンＤ化合物がマキサカルシトールを含む、請求項１８記載の組成物。
【請求項２５】
ビタミンＤ化合物がファレカルシトリオールを含む、請求項１８記載の組成物。
【請求項２６】
ビタミンＤ化合物の濃度が２〜10μg/mLである、請求項１記載の組成物。
【請求項２７】
２〜10μg/mLの活性ビタミンＤ化合物、0.5〜2.5％w/wのポリソルベート-20、20ppmのＢＨＴ及び2.5％w/wのエタノールを含む二次性副甲状腺機能亢進症の治療に適した組成物。
【請求項２８】
10〜100μg/mLの活性ビタミンＤ化合物、0.5〜2.5％w/wのポリソルベート-20、20ppmのＢＨＴ及び2.5％w/wのベンジルアルコールを含む腫瘍性疾患の治療に適した組成物。
【請求項２９】
請求項１記載の組成物を含む血中副甲状腺ホルモン濃度の上昇を下げ、又はその低下を維持するための医薬組成物。
【請求項３０】
血中副甲状腺濃度の上昇が副甲状腺機能亢進症によるものである、請求項２９記載の医薬組成物。
【請求項３１】
副甲状腺機能亢進症が二次性副甲状腺機能亢進症である、請求項３０記載の医薬組成物。
【請求項３２】
過剰増殖性細胞の増殖を抑制するための医薬組成物であって、請求項１記載の組成物を含む前記医薬組成物。
【請求項３３】
過剰増殖性細胞の増殖の抑制に有効である所定量の請求項３２記載の医薬組成物。
【請求項３４】
非経口投与用の請求項３３記載の医薬組成物。
【請求項３５】
前記細胞が乳癌、結腸癌、前立腺癌又は膵臓癌の細胞を含む、請求項３３記載の医薬組成物。
【請求項３６】
前記細胞が乾癬によるものである、請求項３３記載の医薬組成物。
【請求項３７】
請求項１記載の組成物を含むカルシウム代謝異常を治療するための医薬組成物。
【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
ドライアイおよび眼の保湿を必要とする他の障害の処置のための組成物であって、該組成物は、哺乳動物に、薬学的に受容可能なキャリアならびに、マイトジェン活性化キナーゼインヒビター；ｃ−ｊｕｎ  Ｎ末端キナーゼインヒビター；Ｉ−κキナーゼインヒビター；ＩＬ−１β合成インヒビター；ＴＮＦα合成インヒビター；Ｊａｎｕｓファミリーチロシンキナーゼインヒビター；シグナル伝達物質および転写インヒビターのアクチベーター；ならびにレチノイドＸレセプターリガンドからなる群から選択される薬学的有効量のサイトカイン合成インヒビターを含む、組成物。
【請求項２】
前記サイトカイン合成インヒビターが、ＭＡＰキナーゼインヒビターおよびｐ３８キナーゼインヒビターからなる群から選択される、請求項１に記載の組成物。
【請求項３】
前記サイトカイン合成インヒビターが、（５−（２−アミノ−４−ピリミジニル）−４−（４−フルオロフェニル）−１−（４−ピペリジニル）イミダゾール）；アントラ［１，９−ｃｄ］ピラゾール−６（２Ｈ）−オン；プラルナカザン；（Ｄ）アルギニル−（Ｄ）ノルロイシル−（Ｄ）ノルロイシル−（Ｄ）アルギニル−（Ｄ）ノルロイシル−（Ｄ）ノルロイシル−（Ｄ）ノルロイシル−グリシン−（Ｄ）チロシン−アミド、酢酸塩；２−クロロ−Ｎ−［３，５−ジ（トリフルオロメチル）フェニル］−４−（トリフルオロメチル）ピリミジン−５−カルボキサミド；トリフルサル；およびベキサロテンからなる群から選択される、請求項１に記載の組成物。
【請求項４】
前記サイトカイン合成インヒビターは、ｃ−ｊｕｎ  Ｎ末端キナーゼインヒビターおよびアクチベータープロテインＩインヒビターからなる群から選択される、請求項１に記載の組成物。
【請求項５】
前記サイトカイン合成インヒビターの薬学的有効量は、０．００１〜１．０％（ｗ／ｗ）である、請求項１に記載の組成物。
【請求項６】
眼に対する局所投与に適切な、請求項１に記載の組成物。
【請求項７】
前記ドライアイならびに該眼の保湿を必要とする他の障害が、屈折矯正手術に関連するドライアイの症状である、請求項１に記載の組成物。
【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
式Ｉ：
【化１】
2006502157.tif 000001
［ここで、
Ｒ1は各々独立してＣＮ、ＣＦ3、ＯＣＦ3、ＯＣＨＦ2、ハロゲン、Ｃl-4アルキル、Ｃ2-4アルケニル、Ｃ2-4アルキニル、Ｒa、Ｒb、ＳＲa、ＮＲeＲf、ＣＨ2ＮＲeＲf、ＯＲC、及びＣＨ2ＯＲCから選ばれた基であり；ここでｍは０、１、２又は３から選ばれ；Ｒa、Ｒb、及びＲcは各々独立して水素、Ｃ1-6アルキル、Ｃ（Ｏ）Ｒd、Ｃ（Ｏ）ＮＨＲd及びＣＯ2Ｒdから選ばれるか、またはＲaとＲbは一緒になって（ＣＨ2）jＧ（ＣＨ2）kもしくはＧ（ＣＨ2）jＧであってもよく、Ｇは酸素であり、ｊは１、２、３もしくは４、ｋは０、１もしくは２であり；ここでＲdは各々独立してＣ1-6アルキルから選ばれ、そしてＲeとＲfは各々独立して水素、Ｃ1-6アルキル、Ｃ（Ｏ）Ｒd、Ｃ（Ｏ）ＮＨＲd、ＣＯ2Ｒdから選ばれ；
Ｒ2は各々独立して水素、ＣＮ、ＣＦ3、ＯＣＦ3、ＯＣＨＦ2、ハロゲン、Ｃ1-4アルキル、Ｃ2-4アルケニル、Ｃ2-4アルキニル、Ｒa、Ｒb、ＳＲa、ＮＲeＲf、ＣＨ2ＮＲeＲf、ＯＲc及びＣＨ2ＯＲCから選ばれ、ここでｎは０、１、２又は３から選ばれ；ここでＲa、Ｒb、及びＲcは各々独立して水素、ＣI-6アルキル、Ｃ（Ｏ）Ｒd、Ｃ（Ｏ）ＮＨＲd及びＣＯ2Ｒdから選ばれるか、またはＲaとＲbは一緒になって（ＣＨ2）jＧ（ＣＨ2）kもしくはＧ（ＣＨ2）jＧであってもよく、Ｇは酸素であり、ｊは１、２、３もしくは４、ｋは０、１もしくは２であり；ここでＲdは各々独立してＣ1-6アルキルから選ばれ、そしてＲeとＲfは各々独立して水素、Ｃ1-6アルキル、Ｃ（Ｏ）Ｒd、Ｃ（Ｏ）ＮＨＲd、ＣＯ2Ｒdから選ばれ；
Ｒ3は水素、Ｃ1-6アルキル、Ｃ（Ｏ）−（ＣＨ2）q−ＮＲ8Ｒ9、（ＣＨ2）r−ＮＲ8Ｒ9、（ＣＨ2）q−Ｏ−Ｄ、（ＣＨ2）q−Ｄ及び（ＣＨ2）q−ＣＨ＝ＣＨ−Ｄから選ばれ、Ｒ8及びＲ9は独立して水素及びＣ1-6アルキルから選ばれ、ｑは１、２又は３から選ばれ、ｒは１、２、３、又は４から選ばれ、そしてＤはフェニル又はインドリルから選ばれ、該フェニル又は該インドリルはハロゲン、Ｃ1-6アルキル、Ｃ1-6アルコキシ及び−Ｏ−（ＣＨ2）q−Ｏ−から選ばれた１個又はそれ以上の置換基を有してもよく；
Ｒ4、Ｒ5、Ｒ6及びＲ7は各々独立して水素又はＣ1-6アルキルから選ばれるか、或いは
独立して、Ｒ4とＲ5はそれらが結合した炭素と一緒になってそしてＲ6とＲ7はそれらが結合した炭素と一緒になって、式IIの基：
【化２】
2006502157.tif 000002
（式中、ｐは０、１、２、３又は４から選ばれる）を形成する］
の化合物、インビボ−加水分解可能なその前駆体、及びその薬学的許容塩。
【請求項２】
Ｒ1が各々独立してフルオロ、シアノ、Ｃ1-6アルキル及びＣ1-6アルコキシから選ばれ、ここでｍが１、２又は３であり；
Ｒ2が各々独立してハロゲンから選ばれ、ｎは１又は２であり；そして
Ｒ3が水素及びＣ1-6アルキルから選ばれる、
請求項１記載の化合物、インビボ−加水分解可能なその前駆体、及びその薬学的許容塩。
【請求項３】
Ｒ1が各々独立してフルオロ、シアノ、エチル及びメトキシから選ばれ、ここでｍが１
、２又は３であり；
Ｒ2が各々独立してハロゲンから選ばれ、ｎは１又は２であり；そして
Ｒ3が水素及びメチルから選ばれる、
請求項１記載の化合物、そのインビボ−加水分解可能な前駆体、及びその薬学的許容塩。
【請求項４】
Ｒ4、Ｒ5及びＲ6がそれぞれ水素であり、そしてＲ7がメチルである請求項１記載の化合物、そのインビボ−加水分解可能な前駆体、及びその薬学的許容塩。
【請求項５】
Ｒ1が各々独立してフルオロ、シアノ、Ｃ1-6アルキル及びＣ1-6アルコキシから選ばれ、ここでｍが１、２又は３であり；
Ｒ2が各々独立してハロゲンから選ばれ、ここでｎは１又は２であり；そして
Ｒ3が水素、Ｃ1-6アルキル、Ｃ（Ｏ）−（ＣＨ2）q−ＮＲ8Ｒ9、（ＣＨ2）r−ＮＲ8Ｒ9、（ＣＨ2）q−Ｏ−Ｄから選ばれ、Ｒ8及びＲ9は独立して水素、Ｃ1-6アルキル及びＣ1-6アルコキシから選ばれ、ｑは１、２又は３であり、ｒは１、２、３、又は４であり、そしてＤはフェニル、インドール−３−イル、インドール−４−イルから選ばれ、該フェニルはフルオロ、メチル、エチル、メトキシ、エトキシ又は−Ｏ−（ＣＨ2）2−Ｏ−から選ばれた１個又はそれ以上の置換基を有してもよく、そして該インドリルはフルオロ、メチル、エチル、メトキシ又はエトキシから選ばれた１個又はそれ以上の置換基を有してもよい、
請求項１記載の化合物、インビボ−加水分解可能なその前駆体、及びその薬学的許容塩。
【請求項６】
請求項１記載の化合物を、少なくとも１種の薬学的に許容される賦形剤又は希釈剤と共に含む薬学的組成物。
【請求項７】
哺乳類、好ましくはヒトにおける高血圧、鬱病、癌患者における鬱病、パーキンソン病患者における鬱病、心筋梗塞後の鬱病、亜症候群の症状を伴う鬱病、子供のできない婦人における鬱病、小児鬱病、大鬱病、単一エピソード鬱病、反復性鬱病、子供虐待誘発鬱病
、出産後鬱病、一般化された不安障害、恐怖症、広場恐怖症、社会恐怖症、単純な恐怖症、外傷後のストレス症候群、回避性格障害、早発射精、摂食障害、拒食症、多食症、肥満、化学品依存症、アルコール、コカイン、ヘロイン、フェノバルビタル、ニコチン又はベンゾジアゼピンへの依存症、群発頭痛、偏頭痛、疼痛、アルツハイマー病、強迫神経症、パニック障害、記憶障害、痴呆、健忘障害、年齢に関係する認識減退、パーキンソン病、パーキンソン病における痴呆、神経安定薬誘発パーキンソニズム、遅発性ジスキネジー、内分泌障害、高プロラクチン血、血管痙攣、脳血管における血管痙攣、小脳性運動失調、運動性及び分泌における変化を含む胃腸管障害、統合失調症の負の兆候、月経前症候群、線維筋肉痛症候群、緊張性尿失禁、トゥーレット症候群、抜毛狂、盗癖、男性のインポテンツ、注意欠陥多動性障害、慢性発作性偏頭痛及び血管障害に関連した頭痛から選ばれた障害又は症状を治療するための請求項６記載の薬学的組成物であって、かかる障害又は症状の治療に有効な量の請求項１記載の化合物又はその薬学的許容塩、及び薬学的に許容される担体を含む請求項６記載の薬学的組成物。
【請求項８】
ＳＲＩ活性と組み合わされたＮＫ1受容体の拮抗作用が有益な病状を治療するための請求項６記載の薬学的組成物。
【手続補正２】
【補正対象書類名】明細書
【補正対象項目名】００７８
【補正方法】変更
【補正の内容】
【００７８】
実施例３：４-(４-フルオロフェニル)-４-[(３-シアノ-２-メトキシナフタ-１-イル)メトキシメチル]ピペリジン：
下記の構造の化合物
【化１０】
2006502157.tif 000003
をクエン酸塩として、実施例２の反応手順と類似の手順で、３−シアノ−２，４−ジメトキシ−１−ヨードメチルナフタレンを３−シアノ−２−メトキシ−ヨードメチルナフタレンに置き換えて製造した。標題の化合物を淡黄色固体として得た。ＭＳ  ｍ／ｚ  ４０５．５３（Ｍ＋Ｈ）。
【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
磁気刺激を集中させ、かつ／または磁気刺激、ＭＥＧ、またはＥＥＧの結果を視覚化するために、脳の様々な部分など頭の様々な内部構造をモデリングする方法であって、
磁気共鳴撮像またはコンピュータ支援断層撮影などの技術手段によって３次元空間で、少なくとも１つの第１の頭（Ｂ）の様々な大脳部など内部構造の位置を決定する工程を含み、
少なくとも１つの第２の頭（Ａ）の外部寸法を決定し、
前記第１の頭（Ｂ）の前記内部構造の位置データを３次元空間で縮尺して前記第２の頭（Ａ）の前記外部寸法と相関させ、それによって前記第２の頭（Ａ）の内部構造の位置データを前記第２の頭（Ａ）の解剖学的画像を必要とせずにモデリングすることを特徴とする方法。
【請求項２】
前記方法が、磁気刺激の集中かつ／または磁気刺激、ＭＥＧ、あるいはＥＥＧによって得られた結果の視覚化に使用されることを特徴とする、請求項１に記載の方法。
【請求項３】
前記位置データが画像形式で表示され、その縮尺が個々の画素の相互移動によって実施されることを特徴とする、請求項１または２に記載の方法。
【請求項４】
ＭＥＧあるいはＥＥＧによって記録された反応、またはＴＭＳの有効刺激領域が、頭の表面上で決定された解剖学的マーカ点に関連して位置付けられることを特徴とする、請求項１乃至３のいずれか１項に記載の方法。
【請求項５】
前記頭の外部寸法の測定システムが、赤外光、電磁場、レーザ光、または電気位置感知手段を装備したポインタの使用に基づくことを特徴とする、請求項１乃至４のいずれか１項に記載の方法。
【請求項６】
画像縮尺アルゴリズムが、重畳画像の縮尺されたセットにおいて皮質から頭皮までの距離を検査される人に関して同齢人の集団の中の典型的な値に調整する任意選択の縮尺機能を含むことを特徴とする、請求項１乃至５のいずれか１項に記載の方法。
【請求項７】
頭の表面のマーカ点の他に、またはその代わりに、磁気共鳴画像を使用せず、その代わりに磁気刺激、ＭＥＧ、またはＥＥＧの助けにより脳の関数点として位置決めすることができる脳の前記関数点の位置データを使用して変形操作を実行することを特徴とする、請求項１乃至６のいずれか１項に記載の方法。
【請求項８】
画像の変形が、それぞれ頭（Ａ）の変形された画像の点と第２の人の頭（Ｂ）の表面上で測定された点との相互の距離を最小にする最小化アルゴリズムを使用して行われることを特徴とする、請求項１乃至７のいずれか１項に記載の方法。
【請求項９】
前記最小化アルゴリズムの計算結果が、それぞれ画像点の相互の距離がゼロに減少されない場合でも容認されることを特徴とする、請求項１乃至８のいずれか１項に記載の方法。
【請求項１０】
前記方法は、使用可能な自分の頭の磁気共鳴画像を持たない患者に行われるＴＭＳ、ＥＥＧ、またはＭＥＧ検査の結果が専門家でなくても視覚化に使用されることを特徴とする、請求項１乃至９のいずれか１項に記載の方法
【請求項１１】
前記方法が、複数の被検者に行われる測定から得られる単一セットのＭＲ画像の結果の表示に使用されることを特徴とする、請求項１乃至１０のいずれか１項に記載の方法。
【請求項１２】
前記方法で使用される前記標準の頭が、様々なタイプおよび形状の頭を提示する複数の人から得られる複数の磁気共鳴画像のライブラリから選択されることを特徴とする、請求項１乃至１１のいずれか１項に記載の方法。
【請求項１３】
線形縮尺が前記方法で使用されることを特徴とする、請求項１乃至１２のいずれか１項に記載の方法。
【請求項１４】
非線形縮尺が前記方法で使用されることを特徴とする、請求項１乃至１３のいずれか１項に記載の方法。
【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
以下の(i)〜(iii)のいずれかのポリペプチド：
(i)配列番号２、配列番号４、配列番号６、配列番号８、配列番号１０、配列番号１２、配列番号１４、配列番号１６若しくは配列番号１６のアミノ酸番号１〜２４０で示されるアミノ酸配列を含むか、又は前記アミノ酸配列からなるポリペプチド；
(ii)(i)のポリペプチドの活性を有するか、又は(i)のポリペプチドと共通の抗原決定基を有する、(i)のフラグメント；又は
(iii)(i)又は(ii)の機能的等価物。
【請求項２】
配列番号１６で示されるアミノ酸配列を含むか、又は前記アミノ酸配列からなる、請求項１記載のポリペプチド。
【請求項３】
配列番号２、配列番号４、配列番号６、配列番号８、配列番号１０、配列番号１２、配列番号１４又は配列番号１６で示されるアミノ酸配列に相同的であって、免疫グロブリンドメイン含有細胞表面認識分子活性を有することを特徴とする、請求項１の(iii)記載の機能的等価物であるポリペプチド。
【請求項４】
配列番号２、配列番号４、配列番号６、配列番号８、配列番号１０、配列番号１２、配列番号１４若しくは配列番号１６で示されるアミノ酸配列又はそれらの活性なフラグメントに対して84％以上の配列同一性を有する、請求項１〜３のいずれか１項に記載のフラグメント又は機能的等価物であるポリペプチド。
【請求項５】
配列番号２、配列番号４、配列番号６、配列番号８、配列番号１０、配列番号１２、配列番号１４又は配列番号１６で示されるアミノ酸配列を有するポリペプチドに対して有意な構造的相同性を示す、請求項１〜４のいずれか１項に記載の機能的等価物であるポリペプチド。
【請求項６】
請求項１の(i)のポリペプチドと共通の抗原決定基を有し、配列番号１６で示されるアミノ酸配列に由来する7又はそれ以上のアミノ酸残基からなる、請求項１〜５のいずれか１項に記載のフラグメントであるポリペプチド。
【請求項７】
配列番号１６のアミノ酸番号１〜２４０のアミノ酸配列を含むか、又は前記アミノ酸配列からなる、請求項１記載のポリペプチド。
【請求項８】
成熟型のINSP052細胞外ドメインのアミノ酸配列を含むか、又は前記アミノ酸配列からなる、請求項７記載のポリペプチド。
【請求項９】
請求項１〜８のいずれか１項に記載のポリペプチドを含む融合タンパク質。
【請求項１０】
請求項１〜８のいずれか１項に記載のポリペプチドをコードしている精製核酸分子。
【請求項１１】
配列番号１、配列番号３、配列番号５、配列番号７、配列番号９、配列番号１１、配列番号１３若しくは配列番号１５で示される核酸配列を含むか、又はそれらの余剰的等価物又はフラグメントである、請求項１０記載の精製核酸分子。
【請求項１２】
配列番号１、配列番号３、配列番号５、配列番号７、配列番号９、配列番号１１、配列番号１３若しくは配列番号１５で示される核酸配列からなるか、又はそれらの余剰的等価物又はフラグメントである、請求項１１記載の精製核酸分子。
【請求項１３】
高ストリンジェンシーの条件下で、請求項１０〜１２のいずれか１項に記載の核酸分子とハイブリダイズする、精製核酸分子。
【請求項１４】
請求項１０〜１３のいずれか１項に記載の核酸分子を含むベクター。
【請求項１５】
請求項１４記載のベクターで形質転換されている、宿主細胞。
【請求項１６】
請求項１〜９のいずれか１項に記載のポリペプチドに特異的に結合する、リガンド。
【請求項１７】
抗体である、請求項１６記載のリガンド。
【請求項１８】
請求項１〜９のいずれか１項に記載のポリペプチドの発現レベル又は活性レベルを増加又は減少させる化合物。
【請求項１９】
疾患の治療又は診断に使用するための、請求項１〜９のいずれか１項に記載のポリペプチド、請求項１０〜１３のいずれか１項に記載の核酸分子、請求項１４記載のベクター、請求項１５記載の宿主細胞、請求項１６若しくは１７記載のリガンド、又は請求項１８記載の化合物。
【請求項２０】
患者由来の組織において、請求項１〜９のいずれか１項に記載のポリペプチドをコードする天然遺伝子の発現レベル、又は請求項１〜９のいずれか１項に記載のポリペプチドの活性を評価すること；及び
前記発現又は活性のレベルをコントロールレベルと比較すること；
を含み、このとき前記コントロールレベルと異なるレベルは疾患を示唆している、患者の疾患を診断する方法。
【請求項２１】
免疫グロブリンドメイン含有細胞表面認識分子としての、請求項１〜９のいずれか１項に記載のポリペプチドの使用。
【請求項２２】
請求項１〜９のいずれか１項に記載のポリペプチド、請求項１０〜１３のいずれか１項に記載の核酸分子、請求項１４記載のベクター、請求項１５記載の宿主細胞、請求項１６若しくは１７記載のリガンド、又は請求項１８記載の化合物を含む、医薬組成物。
【請求項２３】
請求項１〜９のいずれか１項に記載のポリペプチド又は請求項１０〜１３のいずれか１項に記載の核酸分子を含む、ワクチン組成物。
【請求項２４】
細胞増殖性疾患、自己免疫/炎症性疾患、心脈管系疾患、神経疾患、精神疾患、発育障害、遺伝子疾患、代謝性疾患、感染及び他の病的状態からなる群より選択される疾患の治療用医薬品を製造することに使用するための、請求項１〜９のいずれか１項に記載のポリペプチド、請求項１０〜１３のいずれか１項に記載の核酸分子、請求項１４記載のベクター、請求項１５記載の宿主細胞、請求項１６若しくは１７記載のリガンド、請求項１８記載の化合物又は請求項２２記載の医薬組成物。
【請求項２５】
請求項１０〜１３のいずれか１項に記載の核酸分子とストリンジェントな条件下でハイブリダイズする核酸プローブを含む第一の容器；前記核酸分子の増幅に有用なプライマーを含む第二の容器；並びに、疾患の診断を容易にするために前記プローブ及びプライマーを使用するための指示を含む、疾患の診断に有用なキット。
【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
シリアルが２．２〜２５重量％の植物ステロールエステルを含むことを特徴とする、液体添加後の低減化ソーキング（soaking）を有する朝食シリアル。
【請求項２】
シリアルが５〜５０重量％の糖を含む、請求項１に記載の朝食シリアル。
【請求項３】
シリアルがトーストされている、請求項１又は２に記載の朝食シリアル。
【請求項４】
シリアルが２．５〜１５重量％、の植物ステロールエステルを含む、請求項１〜３のいずれか一項に記載の朝食シリアル。
【請求項５】
シリアルが８〜３０重量％、の糖を含む、請求項１〜４のいずれか一項に記載の朝食シリアル。
【請求項６】
植物ステロールエステルが０〜１００重量％、のスタノール脂肪酸エステルを含む、請求項１〜５のいずれか一項に記載の朝食シリアル。
【請求項７】
植物ステロールエステルが少なくとも１０重量％、のスタノール脂肪酸エステルを含む、請求項６に記載の朝食シリアル。
【請求項８】
植物ステロールエステルが少なくとも５０重量％、のスタノール脂肪酸エステルを含む、請求項６に記載の朝食シリアル。
【請求項９】
植物ステロールエステルが少なくとも７０重量％、のスタノール脂肪酸エステルを含む、請求項６に記載の朝食シリアル。
【請求項１０】
植物ステロールエステルが少なくとも９０重量％のスタノール脂肪酸エステルを含む、請求項６に記載の朝食シリアル。
【請求項１１】
植物ステロールエステルが０〜１００重量％のステロール脂肪酸エステルを含む、請求項１〜６のいずれか一項に記載の朝食シリアル。
【請求項１２】
シリアルが３．５〜６０重量％の食物繊維を含む、請求項１〜７のいずれか一項に記載の朝食シリアル。
【請求項１３】
シリアルが１７．５〜５０重量％の糖を含む、請求項１〜４及び６〜８のいずれか一項に記載の朝食シリアル。
【請求項１４】
シリアル部分が少なくとも５０重量％の膨化及び／又は押出しシリアルを含む、請求項９に記載の朝食シリアル。
【請求項１５】
２．２〜２５重量％の植物ステロールエステルが朝食シリアルに添加されることを特徴とする、液体添加後の朝食シリアルのソーキング（soaking）減少化方法。
【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
ａ）ウレア、ウレタン、またはエステル結合の少なくとも１つを有するポリフルオロ有機化合物と、ｂ）少なくとも１種の陰イオン非フッ素化界面活性剤との水中の分散系を含む防汚剤で処理されたカーペットであって、ポリフルオロ有機化合物対界面活性剤の比が約０．０７５：１．０〜約５：１であることを特徴とするカーペット。
【手続補正２】
【補正対象書類名】明細書
【補正対象項目名】００９９
【補正方法】変更
【補正の内容】
【００９９】
表９のデータは、添加された陰イオン非フッ素化界面活性剤なしの同じフルオロケミカル防汚剤で処理されたカーペットと比較して、綿繊維で構築されたカーペットについてフルオロケミカル防汚剤への陰イオン非フッ素化界面活性剤の添加でより低い汚れを示した。
以下に本明細書記載の発明を列記する。
１．  ａ）ウレア、ウレタン、またはエステル結合の少なくとも１つを有するポリフルオロ有機化合物と、ｂ）少なくとも１種の陰イオン非フッ素化界面活性剤との水中の分散系を含む防汚剤で処理されたカーペットであって、ポリフルオロ有機化合物対界面活性剤の比が約０．０７５：１．０〜約５：１であることを特徴とするカーペット。
２．  ポリフルオロ有機化合物対界面活性剤の比が約０．１：１．０〜約４：１であることを特徴とする前記１．に記載のカーペット。
３．  前記陰イオン界面活性剤がスルホネート、ジスルホネート、サルフェート、ホスフェートまたはカルボキシレートよりなる群から選択されることを特徴とする前記１．に記載のカーペット。
４．  前記陰イオン界面活性剤がアルファオレフィンスルホネート、アルファスルホン化カルボン酸の塩、アルファスルホン化カルボン酸エステルの塩、１−オクタンスルホン酸の塩、アルキル・アリール硫酸、ドデシルジフェニルオキシドジスルホン酸の塩、デシルジフェニルオキシドジスルホン酸の塩、ブチルナフタレンスルホン酸の塩、Ｃ１６〜Ｃ１８ホスフェートの塩、ナフタレンスルホン酸塩・ホルムアルデヒド縮合物、ドデシルベンゼンスルホン酸の塩、アルキル硫酸の塩、５−スルホイソフタル酸ジメチルの塩、およびデシルジフェニルオキシドジスルホン酸の塩とナフタレンスルホン酸ナトリウム・ホルムアルデヒド縮合物とのブレンドよりなる群から選択されることを特徴とする前記３．に記載のカーペット。
５．  前記陰イオン界面活性剤がドデシルジフェニルオキシドジスルホン酸ナトリウム、アルキル・アリール硫酸、アルキル硫酸ナトリウム、Ｃ１６〜Ｃ１８カリウムホスフェート、デシルジフェニルオキシドジスルホン酸ナトリウム、およびデシルジフェニルオキシドジスルホン酸ナトリウムとナフタレンスルホン酸ナトリウム・ホルムアルデヒド縮合物とのブレンドよりなる群から選択されることを特徴とする前記３．に記載のカーペット。
６．  前記分散系が水性分散系であることを特徴とする前記１．に記載のカーペット。
７．  ウレア、ウレタン、またはエステル結合の少なくとも１つを有する前記ポリフルオロ有機化合物が（１）少なくとも３個のイソシアネート基を含む少なくとも１種の有機ポリイソシアネートと、（２）分子当たり（ａ）１つまたは複数のツェレヴィチノフ水素原子を有する単一の官能基および（ｂ）そのそれぞれが少なくとも２個のフッ素原子を含む少なくとも２個の炭素原子を含む少なくとも１種のフルオロケミカル化合物と、（３）前記ポリイソシアネート中のイソシアネート基の約５％〜約６０％と反応するのに十分な量の水との反応の生成物であることを特徴とする前記１．に記載のカーペット。
８．  前記ポリフルオロ有機化合物に対する水の量が、前記イソシアネート基の約１０％〜約３５％と反応するのに十分であることを特徴とする前記７．に記載のカーペット。
９．  単一の官能基を含む前記フルオロケミカル化合物が式
Ｒｆ−Ｒｋ−Ｘ−Ｈ
（式中、
Ｒｆは、そのそれぞれが少なくとも２個のフッ素原子を含む少なくとも２個の炭素原子を含む一価の脂肪族基であり、
Ｒは二価の有機基であり、
ｋは０または１であり、かつ、
Ｘは−Ｏ−、−Ｓ−、または−Ｎ（Ｒ１）−であり、Ｒ１がＨ、１〜６個の炭素原子を含むアルキルもしくはＲｆ−Ｒｋ−基である）
で表されることを特徴とする前記８．に記載のカーペット。
１０．  Ｒｆが酸素原子によって分断され得る３〜２０個の炭素原子の完全にフッ素化された直鎖または分枝の脂肪族基であることを特徴とする前記９．に記載のカーペット。
１１．  Ｘが酸素であり、かつ、Ｒｋが−（ＣＨ２）２−であることを特徴とする前記１０．に記載のカーペット。
１２．  ウレア、ウレタンまたはエステル結合の少なくとも１つを有する前記ポリフルオロ有機化合物が３〜３０個の炭素原子のカルボン酸のパーフルオロアルキルエステルであることを特徴とする前記１．に記載のカーペット。
１３．  前記パーフルオロアルキルエステルがクエン酸ウレタンであることを特徴とする前記１２．に記載のカーペット。
１４．  約１０〜約２０の調整ヴィッカース硬度を有する非フッ素化ビニルポリマーをさらに含むことを特徴とする前記１２．に記載のカーペット。
１５．  前記非フッ素化ビニルポリマーがポリ（メタクリル酸メチル）であることを特徴とする前記１４．に記載のカーペット。
１６．  ナイロン、羊毛、またはポリエステルを含むことを特徴とする前記１．に記載のカーペット。
１７．  ａ）ウレア、ウレタン、またはエステル結合の少なくとも１つを有するポリフルオロ有機化合物と、ｂ）少なくとも１種の陰イオン非フッ素化界面活性剤との水または水および溶剤中の分散系を含む防汚剤で処理されたカーペットであって、ポリフルオロ有機化合物対界面活性剤の比が約０．０７５：１．０〜約５：１であることを特徴とするカーペット。
【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
表面に硬化性歯科用接着剤を塗布するステップ、
前記表面上の前記硬化性歯科用接着剤に硬化性歯科用コンポジットを塗布するステップ
であって、前記硬化性歯科用コンポジットが光開始剤の濃度の異なる少なくとも２つの隣
接する部位を含むステップ、
放射線源を用いて、前記硬化性歯科用コンポジットに照射するステップであって、前記
放射線源から最も離れた部位の硬化が最初に開始されるステップ、および、
前記硬化性歯科用接着剤を硬化させ、前記歯科用コンポジットを前記接着剤で前記表面
に接着させるステップ、
を含む、表面に接着される歯科用材料を形成する方法。
【請求項２】
表面に硬化性歯科用接着剤を塗布するステップ、
前記硬化性歯科用接着剤を少なくとも部分的に硬化させるステップ、
前記表面上の前記少なくとも部分的に硬化させた歯科用接着剤に硬化性歯科用コンポジ
ットを塗布するステップであって、前記硬化性歯科用コンポジットが光開始剤の濃度の異
なる少なくとも２つの隣接する部位を含むステップ、および
放射線源を用いて、前記硬化性歯科用コンポジットに照射し、それを前記接着剤で前記
表面に接着させるステップであって、前記放射線源から最も離れた部位の硬化が最初に開
始されるステップ、
を含む、表面に接着される歯科用材料を形成する方法。
【請求項３】
表面に硬化性歯科用接着剤を塗布するステップ、
前記表面上の前記硬化性歯科用接着剤に硬化性歯科用コンポジットを塗布するステップ
であって、前記硬化性歯科用コンポジットが異なる光開始剤を有する少なくとも２つの隣
接する部位を含むステップ、
放射線源を用いて、硬化性歯科用コンポジットに照射するステップ、および
前記硬化性歯科用接着剤を硬化させ、前記歯科用コンポジットを前記接着剤で前記表面
に接着させるステップ、
を含む、表面に接着される歯科用材料を形成する方法。
【請求項４】
表面に硬化性歯科用接着剤を塗布するステップ、
前記硬化性歯科用接着剤を少なくとも部分的に硬化させるステップ、
前記表面上の前記少なくとも部分的に硬化させた歯科用接着剤に硬化性歯科用コンポジ
ットを塗布するステップであって、前記硬化性歯科用コンポジットが異なる光開始剤を有
する少なくとも２つの隣接する部位を含むステップ、および
放射線源を用いて、前記硬化性歯科用コンポジットに照射し、それを前記接着剤で前記
表面に接着させるステップ、
を含む、表面に接着される歯科用材料を形成する方法。
【請求項５】
前記硬化性歯科用接着剤を硬化させるステップが、前記硬化性歯科用接着剤に照射する
ことを含む、請求項１、２、３又は４に記載の方法。
【請求項６】
前記硬化性歯科用接着剤が、約３８０ｎｍ〜約５２０ｎｍの範囲内の放射線を吸収する
光開始剤を含む、請求項５に記載の方法。
【請求項７】
前記硬化性歯科用接着剤の光開始剤がホスフィンオキシドである、請求項６に記載の方
法。
【請求項８】
前記前記歯科用コンポジットの光開始剤の少なくとも一つが、約３８０ｎｍ〜約５２０ｎｍの範囲内の放射線を吸収する、請求項１、２、３または４に記載の方法。
【請求項９】
前記前記歯科用コンポジットの光開始剤の少なくとも一つがホスフィンオキシドである、請求項８に記載の方法。
【請求項１０】
前記ホスフィンオキシドが、一般式：
Ｒ1Ｐ（＝Ｏ）（Ｃ（＝Ｏ）Ｒ2）2
（式中、Ｒ1はヒドロカルビル基であり、各Ｒ2は独立してヒドロカルビル基、Ｓ−、Ｏ−
、又はＮ−を含有する５員環又は６員環の複素環基である）
のビスアシルホスフィンオキシドである、請求項９に記載の方法。
【請求項１１】
前記硬化性組成物が、フリーラジカル重合性組成物、カチオン重合性組成物、又はこれ
らの組合せを含む、請求項１、２、３又は４に記載の方法。
【請求項１２】
前記硬化性組成物の少なくとも１つがフィラーを更に含む、請求項１、２、３又は４に記載の方法。
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
酸化および／または脱メチル化した膜ＤＮＡ（ｍＤＮＡ）の調製のためのプロセスであって、以下の工程：
細胞を、ＵＶ照射、酸化試薬、重金属塩、薬物、ヌクレオシドアナログおよびヌクレオチドアナログ、酵素インヒビターならびにｐＨシフトからなる群より選択されるストレス因子で処理する工程；
該細胞を溶解して、細胞溶解産物を得る工程；
酸化および／または脱メチル化したｍＤＮＡを、該細胞溶解産物から精製する工程
を包含する、プロセス。
【請求項２】
前記ストレス因子が、二クロム酸塩、過酸化水素、過マンガン酸塩、キニジン、Ｄ−ペニシラミン、ヒドララジン、プロカインアミド、ＲＮＡ／ＤＮＡ代謝産物、ヌクレオシドアナログおよびヌクレオチドアナログ（例えば、５−アザ−シチジン、５−アザ−２’−デオキシシチジン）、ＤＮＡメチラーゼのインヒビター、ヒストンデアセチラーゼのインヒビター（例えば、酪酸塩またはトリコスタチンＡ）、ヒストンアセチルトランスフェラーゼのインヒビター、ヒストンアルギニンメチルトランスフェラーゼインヒビターおよびヒストンリジンメチルトランスフェラーゼインヒビター、プロテインキナーゼのインヒビター（例えば、スタウロスポリンまたはカルホスチンＣまたはＫ−２５２ａまたはＨ−８９）、プロテインキナーゼのアクチベーター（例えば、ホルボールエステルまたはブリオスタチン１）、プロテインホスファターゼのインヒビター（例えば、カリキュリンＡまたはオカダ酸）、ポリ（ＡＤＰ−リボース）ポリメラーゼのインヒビター（例えば、３−アミノベンズアミドまたはｍ−ヨードベンジルグアニジンヘミスルフェート、ユビキチン結合体化酵素のインヒビター（例えば、メチル化ユビキチン）、ユビキチンＣ末端ヒドロラーゼのインヒビター（例えば、ユビキチンアルデヒド）、複製の誤りおよび／または自然ＤＮＡ損傷の修復に関与する酵素のインヒビター（例えば、カドミウムイオン）、Ｎ−グリコシル化のインヒビター（例えば、ツニカマイシン）、２０Ｓプロテアソームまたは２６Ｓプロテアソームのインヒビター（例えば、ラクタシスチン）、ファルネシル化のインヒビター（例えば、α−ヒドロキシ−ファルネシルリン酸）、ゲラニルゲラニル化のインヒビター、タンパク質メチル化のインヒビター（例えば、エベルラクトンＢ）、カタラーゼのインヒビター、スーパーオキシドジスムターゼのインヒビター、グルタチオンペルオキシダーゼのインヒビター、ＤＮＡ過剰メチル化のインデューサー、リン脂質メチル化のインデューサー、リン脂質メチル化のインヒビター（例えば、３−デアザアデノシンまたは３−デアザ−（±）−アリステロマイシン）、またはこれらの組み合わせから選択される、請求項１に記載のプロセス。
【請求項３】
前記酸化および／または脱メチル化されたｍＤＮＡが、核酸結合タンパク質と会合している、請求項１に記載のプロセス。
【請求項４】
請求項１〜３のいずれか１項に記載の方法に従って入手可能な、酸化および／または脱メチル化された膜ＤＮＡ（ｍＤＮＡ）。
【請求項５】
ＤＮＡ結合タンパク質（特に、ヒストン）と会合している、請求項４に記載のｍＤＮＡ。
【請求項６】
前記ＤＮＡ結合タンパク質が、過少アセチル化もしくは過剰アセチル化、および／または過少リン酸化もしくは過剰リン酸化、および／または過少メチル化もしくは過剰メチル化、および／または過少ユビキチン化もしくは過剰ユビキチン化、および／または過少（ポリ−ＡＤＰ−リボシル化）もしくは過剰（ポリ−ＡＤＰ−リボシル化）、および／または過少グリコシル化もしくは過剰グリコシル化されているか、あるいはこれらの組み合わせされている、請求項５に記載のｍＤＮＡ。
【請求項７】
請求項４〜６のいずれか１項に記載のｍＤＮＡを含む、細胞。
【請求項８】
細胞を、ＵＶ照射、酸化試薬、重金属塩、薬物、ヌクレオシドアナログおよびヌクレオチドアナログ、酵素インヒビター、酵素アクチベーター、ならびにｐＨシフトからなる群より選択されるストレス因子で処理する工程を包含する、請求項７に記載の細胞を調製するためのプロセス。
【請求項９】
請求項４〜６のいずれか１項に記載のｍＤＮＡ、請求項４〜６のいずれか１項に記載のｍＤＮＡのフラグメント、または請求項７に記載の細胞を含む、診断剤。
【請求項１０】
疾患のインビトロ検出のためのプロセスであって、以下の工程：
動物の抗体含有生物学的流体を、請求項９に記載の診断剤と接触させる工程、
該診断剤との該抗体の結合を測定する工程
を包含し、ここで、結合が、該動物の疾患を示す、プロセス。
【請求項１１】
前記診断剤が細胞であり、該細胞が、固体支持体に結合されている、請求項１０に記載のプロセス。
【請求項１２】
疾患のインビトロ検出のためのプロセスであって、以下の工程：
動物の細胞含有生物学的サンプルを、リガンド（特に、抗体またはＤＮＡ結合タンパク質（例えば、請求項４に記載の酸化および／または脱メチル化されたｍＤＮＡに対するホルムアミドピリミジンＤＮＡ−グリコシラーゼ））と接触させる工程、
該細胞との該リガンド、抗体またはＤＮＡ結合タンパク質の結合を測定する工程
を包含し、ここで、結合が、該動物の疾患を示す、プロセス。
【請求項１３】
前記疾患が、自己免疫疾患である、請求項１０または１２に記載のプロセス。
【請求項１４】
ｍＤＮＡとの抗体の結合を検出するための、請求項９に記載の診断剤の使用。
【請求項１５】
動物由来の抗体の結合が、該動物の自己免疫疾患を示す、請求項１４に記載の使用。
【請求項１６】
薬物をスクリーニングするための方法であって、薬物の存在下で、請求項４〜６のいずれか１項に記載のｍＤＮＡまたは請求項７に記載の細胞との抗体の結合を測定することによる、方法。
【請求項１７】
薬学的処方物であって、請求項４〜６のいずれか１項に記載のｍＤＮＡまたは請求項７に記載の細胞を含む、薬学的処方物。
【請求項１８】
ワクチンの形態の、請求項１７に記載の薬学的処方物。
【請求項１９】
動物における自己免疫疾患を処置するための、請求項１７に記載の薬学的処方物。
【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
TCRα鎖定常領域細胞外配列のＮ末端に融合したTCRα鎖可変領域配列により構成されるαセグメント、
TCRβ鎖定常領域細胞外配列のＮ末端に融合したTCRβ鎖可変領域により構成されるβセグメント、及び
αセグメントのＣ末端をβセグメントのＮ末端に又はその逆に連結するリンカー配列
を含み、
α及びβセグメントの定常領域細胞外配列は天然のαβＴ細胞レセプター中に等価物がないジスルフィド結合により連結し、
リンカー配列の長さ及びジスルフィド結合の位置は、α及びβセグメントの可変領域が天然のαβＴ細胞レセプター中と実質的に同様に相互に配向するような長さ及び位置である単鎖Ｔ細胞レセプター(scTCR)。
【請求項２】
ジスルフィド結合が、そのβ炭素原子がTCRα及びβ鎖の細胞外定常Igドメインの対応する配列中で0.6nm未満離れているアミノ酸残基から置換されたシステイン残基を連結する請求項１に記載のscTCR。
【請求項３】
α及びβセグメント中に存在する定常領域細胞外配列が、TCRの天然の鎖間ジスルフィド結合を形成するシステイン残基が除去されるように、Ｃ末端で短縮化された天然のTCRのα及びβ鎖の定常領域に対応する請求項１又は２に記載のscTCR。
【請求項４】
α及びβセグメント中に存在する定常領域細胞外配列が、天然の鎖間ジスルフィド結合を形成するシステイン残基が別のアミノ酸残基で置換された天然のTCRのα及びβ鎖の定常領域に対応する請求項１又は２に記載のscTCR。
【請求項５】
天然のTCRβ鎖中に存在する対合していないシステイン残基が存在しない請求項１〜４のいずれか１項に記載のscTCR。
【請求項６】
αセグメントの定常領域細胞外配列がTRAC*01に対応する配列を含み、βセグメントがTRBC1*01又はTRBC2*01に対応する配列を含み、天然のものではないジスルフィド結合がTRAC*01のエキソン１のThr48及びTRBC1*01又はTRBC2*01のエキソン１のSer57から置換されたシステイン残基間にある請求項１〜５のいずれか１項に記載のscTCR。
【請求項７】
治療物質に共有結合している請求項１〜６のいずれか１項に記載のscTCR。
【請求項８】
請求項１〜７のいずれか１項に記載のscTCRおよび薬学的に受容可能なキャリアを含む医薬組成物。